(57)【要約】  【課題】  システム構築に多くの設備投資を必要とせず、一斉放送ならび割込み一斉放送が可能な利便性の高い一斉放送システムを提供する。  【解決手段】  一斉放送の全ての情報を管理する放送管理サーバ２と、例えば企業の本社、デパートの本店等の拠点に設置され、一斉放送を行う放送装置３および放送装置４と、一斉放送で使用される情報を設定し、管理する情報管理装置５と、一斉放送で使用する全ての機器（装置）の状態を監視する状態監視装置６と、企業の支社、デパートの支店等の複数拠点に設置された放送受信装置７Ａ〜７Ｎと、放送管理サーバ２、放送装置３、放送装置４、情報管理装置５、状態監視装置６および放送受信装置７Ａ〜７Ｎが接続されるＩＰ網ＮＴとから構成する。【選択図】  図１
2005210462.tif 000002
【特許請求の範囲】
【請求項１】
ＩＰ網に接続して複数の拠点に一斉放送を行う一斉放送システムであって、
音声信号をＩＰデータに変換して前記ＩＰ網に送信する放送装置と、前記放送装置からのＩＰデータの放送を管理する放送管理サーバと、一斉放送で使用する情報を設定して管理する情報管理装置と、一斉放送で使用する全ての機器の状態を監視する状態監視装置と、前記ＩＰ網を介して一斉放送のＩＰデータを受信する複数の拠点にある放送受信装置と、を備えたことを特徴とする一斉放送システム。
【請求項２】
前記放送装置は、放送装置コンソールと、音声を入力するマイク装置と、前記マイク装置からの音声信号をＩＰデータに変換して前記ＩＰ網に送信する送信ＩＰゲートウェイと、を備えたことを特徴とする請求項１記載の一斉放送システム。
【請求項３】
前記放送受信装置は、前記ＩＰ網からのＩＰデータを受信して音声信号に変換する受信ＩＰゲートウェイと、前記受信ＩＰゲートウェイから供給される音声信号を通常の一斉放送または割込みの一斉放送に切替える放送切替装置と、前記放送切替装置から提供される音声信号を音声で出力するスピーカ装置と、を備えたことを特徴とする請求項１記載の一斉放送システム。
【請求項４】
前記放送管理サーバは、前記放送装置からの一斉放送のＩＰデータにＩＰアドレスを付与して複数の前記放送受信装置に送信する制御を実行するとともに、他の放送装置から割込みの一斉放送のＩＰデータがある場合、一斉放送のＩＰデータを一時停止させ、割込みの一斉放送のＩＰデータを複数の前記放送受信装置に送信する制御を実行することを特徴とする請求項１記載の一斉放送システム。
【請求項５】
前記放送装置コンソールは、ブロック別の一斉放送先、回線接続ボタン、回線切断ボタン、頻繁に放送する放送先のプリセットボタンを表示する表示画面を備えたことを特徴とする請求項２記載の一斉放送システム。
【請求項６】
前記放送管理サーバは、放送履歴、放送状態を表示するモニタ画面を備えたことを特徴とする請求項４記載の一斉放送システム。
【発明の詳細な説明】
【技術分野】
【０００１】
本発明は複数の拠点に一斉放送する一斉放送システムに係り、特にＩＰ網を利用して一斉放送や割込み一斉放送を行う利便性に優れた一斉放送システムに関する。
【背景技術】
【０００２】
従来の一斉放送システムは、構内交換機（ＰＢＸ）を用いて公衆網や専用線を介して放送を行うため、構内交換機の設置、公衆網や専用線に接続するための契約が必要とされている。
【０００３】
また、従来の一斉放送システムは、一斉放送中に割込み放送を行うためには、一斉放送を停止したり、一斉放送と割込み放送を混在させなくてはならなかった。
【０００４】
さらに、従来の一斉放送システムは、一斉放送を行う機器においては、放送先の状態が認識できない場合もある。
【０００５】
また、従来の一斉放送システムは、「特許文献１」（構内電話交換システム）に開示されているように、構内交換機に接続された中継台または任意の内線電話機からＩＳＤＮ内線ラインにバス状に接続されたＩＳＤＮ電話機に対して一斉放送を行う同一構内のページングシステムである。
【０００６】
このような構成により、ＩＳＤＮ内線ラインをバスをそのまま構内放送用に使用することができるので、内線電話機以外に構内放送用のスピーカ装置とその配線をする必要がなく、効率良く構内ページングシステムを構築できるものである。
【特許文献１】特開平７−９５２９７号公報
【発明の開示】
【発明が解決しようとする課題】
【０００７】
従来の一斉放送システムは、構内交換機を設置するための設備投資が必要となり、また公衆網や専用線を敷設しなければならないため、設備投資、公衆網や専用線の使用料の費用負担が発生し、コストアップを招く課題がある。
【０００８】
また、従来の一斉放送システムは、一斉放送中に割込み放送を行うためには、一斉放送の停止や一斉放送と割込み放送を混在させるため、一斉放送の品質の低下を招く課題がある。
【０００９】
さらに、従来の一斉放送システムは、一斉放送先の状態が認識できないため、放送先を指定できない課題もある。
【００１０】
「特許文献１」に開示された一斉放送システムは、同一構内のページングとしての一斉放送は可能であるが、遠隔地の複数の拠点先に向けての一斉放送はできないため、一斉放送に制限があり、利便性を損なう課題がある。
【００１１】
また、「特許文献１」に開示された一斉放送システムは、一斉放送中に緊急の一斉放送が発生しても、緊急の一斉放送を割り込ませることができない課題もある。
【００１２】
この発明はこのような課題を解決するためになされたもので、その目的はシステム構築に多くの設備投資を必要とせず、一斉放送ならび割込み一斉放送が可能な利便性の高い一斉放送システムを提供することにある。
【課題を解決するための手段】
【００１３】
前記課題を解決するためこの発明に係る一斉放送システムは、ＩＰ網に接続して複数の拠点に一斉放送を行う一斉放送システムであって、音声信号をＩＰデータに変換してＩＰ網に送信する放送装置と、放送装置からのＩＰデータの放送を管理する放送管理サーバと、一斉放送で使用する情報を設定して管理する情報管理装置と、一斉放送で使用する全ての機器の状態を監視する状態監視装置と、ＩＰ網を介して一斉放送のＩＰデータを受信する複数の拠点にある放送受信装置とを備えたことを特徴とする。
【００１４】
この発明に係る一斉放送システムは、音声信号をＩＰデータに変換してＩＰ網に送信する放送装置と、放送装置からのＩＰデータの放送を管理する放送管理サーバと、一斉放送で使用する情報を設定して管理する情報管理装置と、一斉放送で使用する全ての機器の状態を監視する状態監視装置と、ＩＰ網を介して一斉放送のＩＰデータを受信する複数の拠点にある放送受信装置とを備えたので、ＩＰデータの放送を管理し、全ての機器の状態を監視しながら複数の拠点に一斉放送をすることができる。
【００１５】
また、この発明に係る放送装置は、放送装置コンソールと、音声を入力するマイク装置と、マイク装置からの音声信号をＩＰデータに変換してＩＰ網に送信する送信ＩＰゲートウェイとを備えたことを特徴とする。
【００１６】
この発明に係る放送装置は、放送装置コンソールと、音声を入力するマイク装置と、マイク装置からの音声信号をＩＰデータに変換してＩＰ網に送信する送信ＩＰゲートウェイとを備えたので、簡単な操作で一斉放送の音声信号をＩＰデータに変換してＩＰ網に送信することができる。
【００１７】
さらに、この発明に係る放送受信装置は、ＩＰ網からのＩＰデータを受信して音声信号に変換する受信ＩＰゲートウェイと、受信ＩＰゲートウェイから供給される音声信号を通常の一斉放送または割込みの一斉放送に切替える放送切替装置と、放送切替装置から提供される音声信号を音声で出力するスピーカ装置とを備えたことを特徴とする。
【００１８】
この発明に係る放送受信装置は、ＩＰ網からのＩＰデータを受信して音声信号に変換する受信ＩＰゲートウェイと、受信ＩＰゲートウェイから供給される音声信号を通常の一斉放送または割込みの一斉放送に切替える放送切替装置と、放送切替装置から提供される音声信号を音声で出力するスピーカ装置とを備えたので、一斉放送ならびに割込み一斉放送に対応することができる。
【００１９】
また、この発明に係る放送管理サーバは、放送装置からの一斉放送のＩＰデータにＩＰアドレスを付与して複数の放送受信装置に送信する制御を実行するとともに、他の放送装置から割込みの一斉放送のＩＰデータがある場合、一斉放送のＩＰデータを一時停止させ、割込み一斉放送のＩＰデータを複数の放送受信装置に送信する制御を実行することを特徴とする。
【００２０】
この発明に係る放送管理サーバは、放送装置からの一斉放送のＩＰデータにＩＰアドレスを付与して複数の放送受信装置に送信する制御を実行するとともに、他の放送装置から割込みの一斉放送のＩＰデータがある場合、一斉放送のＩＰデータを一時停止させ、割込みの一斉放送のＩＰデータを複数の放送受信装置に送信する制御を実行するので、システムの一斉放送ならびに割込み一斉放送に対応することができる。
【００２１】
さらに、この発明に係る放送装置コンソールは、ブロック別の一斉放送先、回線接続ボタン、回線切断ボタン、頻繁に放送する放送先のプリセットボタンを表示する表示画面を備えたことを特徴とする。
【００２２】
この発明に係る放送装置コンソールは、ブロック別の一斉放送先、回線接続ボタン、回線切断ボタン、頻繁に放送する放送先のプリセットボタンを表示する表示画面を備えたので、一斉放送先の選択、回線接続や回線切断を容易に実行することができる。
【００２３】
また、この発明に係る放送管理サーバは、放送履歴、放送状態を表示するモニタ画面を備えたことを特徴とする。
【００２４】
この発明に係る放送管理サーバは、放送履歴、放送状態を表示するモニタ画面を備えたので、一斉放送の放送履歴、放送状態を明確にすることができる。
【発明の効果】
【００２５】
この発明に係る一斉放送システムは、音声信号をＩＰデータに変換してＩＰ網に送信する放送装置と、放送装置からのＩＰデータの放送を管理する放送管理サーバと、一斉放送で使用する情報を設定して管理する情報管理装置と、一斉放送で使用する全ての機器の状態を監視する状態監視装置と、ＩＰ網を介して一斉放送のＩＰデータを受信する複数の拠点にある放送受信装置とを備えたので、ＩＰデータの放送を管理し、全ての機器の状態を監視しながら複数の拠点に一斉放送をすることができ、システム構築に多くの設備投資を必要とせず、利便性の向上を図ることができる。
【００２６】
また、この発明に係る放送装置は、放送装置コンソールと、音声を入力するマイク装置と、マイク装置からの音声信号をＩＰデータに変換してＩＰ網に送信する送信ＩＰゲートウェイとを備えたので、簡単な操作で一斉放送の音声信号をＩＰデータに変換してＩＰ網に送信することができ、使い勝手の良さをアピールすることができる。
【００２７】
さらに、この発明に係る放送受信装置は、ＩＰ網からのＩＰデータを受信して音声信号に変換する受信ＩＰゲートウェイと、受信ＩＰゲートウェイから供給される音声信号を通常の一斉放送または割込みの一斉放送に切替える放送切替装置と、放送切替装置から提供される音声信号を音声で出力するスピーカ装置とを備えたので、一斉放送ならびに割込み一斉放送に対応することができ、システムの利便性を一層向上することができる。
【００２８】
また、この発明に係る放送管理サーバは、放送装置からの一斉放送のＩＰデータにＩＰアドレスを付与して複数の放送受信装置に送信する制御を実行するとともに、他の放送装置から割込みの一斉放送のＩＰデータがある場合、一斉放送のＩＰデータを一時停止させ、割込みの一斉放送のＩＰデータを複数の放送受信装置に送信する制御を実行するので、システムの一斉放送ならびに割込み一斉放送に対応することができ、システムの機能性をアピールすることができる。
【００２９】
さらに、この発明に係る放送装置コンソールは、ブロック別の一斉放送先、回線接続ボタン、回線切断ボタン、頻繁に放送する放送先のプリセットボタンを表示する表示画面を備えたので、一斉放送先の選択、回線接続や回線切断を容易に実行することができ、一斉放送の操作性をより一層アピールすることができる。
【００３０】
また、この発明に係る放送管理サーバは、放送履歴、放送状態を表示するモニタ画面を備えたので、一斉放送の放送履歴、放送状態を明確にすることができ、システムの管理を容易にし、かつ正確に認識することができる。
【発明を実施するための最良の形態】
【００３１】
以下、この発明の実施の形態を添付図面に基づいて説明する。図１はこの発明に係る一斉放送システムの一実施の形態ブロック構成図である。図１において、一斉放送システム１は、一斉放送の全ての情報を管理する放送管理サーバ２と、例えば企業の本社、デパートの本店等の拠点に設置され、一斉放送を行う放送装置３および放送装置４と、一斉放送で使用される情報を設定し、管理する情報管理装置５と、一斉放送で使用する全ての機器（装置）の状態を監視する状態監視装置６と、企業の支社、デパートの支店等の複数拠点に設置された放送受信装置７Ａ〜７Ｎと、放送管理サーバ２、放送装置３、放送装置４、情報管理装置５、状態監視装置６および放送受信装置７Ａ〜７Ｎが接続されるＩＰ網ＮＴとから構成する。
【００３２】
放送管理サーバ２は、放送装置３から「放送開始要求」を受信すると、放送装置３に「送信チャネルオープン要求」を送信して、放送装置３から「送信チャネルオープン完了」を受信する。
【００３３】
また、放送管理サーバ２は、放送装置３から「放送開始要求」を受信すると、放送受信装置７Ａ〜７ＮにＩＰアドレスを付与した「受信チャネルオープン要求」を送信して、放送受信装置７Ａ〜７Ｎから「受信チャネルオープン完了」を受信した後、放送装置３に「放送開始応答」を送信することにより、放送装置３から放送受信装置７Ａ〜７ＮにＩＰアドレスを付与したＩＰデータの「放送音声データ（例えば、チャネルＣＨ１）」を一斉放送する。
【００３４】
さらに、放送管理サーバ２は、放送装置３から「放送終了要求」を受信すると、放送受信装置７Ａ〜７ＮにＩＰアドレスを付与した「受信チャネルクローズ要求」を送信して、放送受信装置７Ａ〜７Ｎから「受信チャネルクローズ完了」を受信する。
【００３５】
また、放送管理サーバ２は、放送装置３から「放送終了要求」を受信すると、放送装置３に「送信チャネルクローズ要求」を送信して、放送装置３から「送信チャネルクローズ完了」を受信した後、放送装置３に「放送終了応答」を送信することにより、放送受信装置７Ａ〜７ＮへのＩＰデータの「放送音声データ（例えば、チャネルＣＨ１）」の一斉放送を停止する。
【００３６】
さらに、放送管理サーバ２は、放送装置３から放送受信装置７Ａ〜７Ｎに一斉放送中に、放送装置４から緊急の一斉放送がある際、放送装置４から「放送開始要求」を受信すると、放送受信装置７Ａ〜７ＮにＩＰアドレスを付与した「受信チャネルオープン要求」を送信して、放送受信装置７Ａ〜７Ｎから「受信チャネルオープン完了」を受信する。
【００３７】
また、放送管理サーバ２は、放送装置３から「放送開始要求」を受信すると、放送装置４に「送信チャネルオープン要求」を送信して、放送装置４から「送信チャネルオープン完了」を受信した後、放送装置４に「放送開始応答」を送信することにより、放送装置３からの一斉放送を中断し、放送装置４から放送受信装置７Ａ〜７ＮにＩＰアドレスを付与した「ＩＰデータの「放送音声データ（例えば、チャネルＣＨ２）」を一斉放送する。
【００３８】
さらに、放送管理サーバ２は、放送装置４から「放送終了要求」を受信すると、放送受信装置７Ａ〜７ＮにＩＰアドレスを付与した「受信チャネルクローズ要求」を送信して、放送受信装置７Ａ〜７Ｎから「受信チャネルクローズ完了」を受信すると、続いて放送装置４に「送信チャネルクローズ要求」を送信して、放送装置４から「送信チャネルクローズ完了」を受信した後、放送装置４に「放送終了応答」を送信することにより、放送受信装置７Ａ〜７ＮへのＩＰデータの「放送音声データ（例えば、チャネルＣＨ２）」の一斉放送を停止し、中断した放送装置３からのＩＰデータの「放送音声データ（例えば、チャネルＣＨ１）」を放送受信装置７Ａ〜７Ｎに、再度一斉放送する。
【００３９】
また、放送管理サーバ２はモニタ画面を備え、放送装置３および放送装置４からの一斉放送の放送履歴、放送状態を表示する。
【００４０】
このように、この発明に係る放送管理サーバ２は、放送装置３からの一斉放送のＩＰデータにＩＰアドレスを付与して複数の放送受信装置７Ａ〜７Ｎに送信する制御を実行するとともに、他の放送装置４から割込みの一斉放送のＩＰデータがある場合、一斉放送のＩＰデータを一時停止させ、割込みの一斉放送のＩＰデータを複数の放送受信装置７Ａ〜７Ｎに送信する制御を実行するので、システムの一斉放送ならびに割込み一斉放送に対応することができ、システムの機能性をアピールすることができる。
【００４１】
放送装置３は、放送装置コンソール３ａ、マイク３ｂ、送信ＩＰゲートウェイ３ｃを備え、放送装置コンソール３ａで指定した放送先（例えば、放送受信装置７Ａ〜７Ｎ）に放送管理サーバ２の制御により、マイク３ｂから入力した音声（アナログ音声信号）を送信ＩＰゲートウェイ３ｃでＩＰデータに変換した放送音声データをＩＰ網ＮＴを介して放送受信装置７Ａ〜７Ｎに一斉放送する。
【００４２】
放送装置コンソール３ａは、画面上で一斉放送先（例えば、放送受信装置７Ａ〜７Ｎ）を指定し、指定した放送受信装置７Ａ〜７ＮとＩＰ網ＮＴを介して回線を接続したり、回線を切断したりする。
【００４３】
また、放送装置コンソール３ａは、ブロック別の一斉放送先、回線接続ボタン、回線切断ボタン、頻繁に放送する放送先のプリセットボタンを表示する表示画面を備え、一斉放送先の選択、回線接続や回線切断を容易に実行する。
【００４４】
マイク３ｂは、一斉放送の音声を入力し、音響／電気変換した音声信号を送信ＩＰゲートウェイ３ｃに供給する。
【００４５】
送信ＩＰゲートウェイ３ｃは、マイク３ｂから供給される音声信号にＩＰ化を施し、ＩＰデータをＩＰ網ＮＴに出力する。
【００４６】
放送装置４は、放送装置３と同様に、放送装置コンソール４ａ、マイク４ｂ、送信ＩＰゲートウェイ４ｃを備え、放送装置３と同様な動作をする。
【００４７】
このように、この発明に係る放送装置３，４は、放送装置コンソール３ａ，４ａと、音声を入力するマイク装置３ｂ，４ｂと、マイク装置３ｂ，４ｂからの音声信号をＩＰデータに変換してＩＰ網に送信する送信ＩＰゲートウェイ３ｃ，４ｃとを備えたので、簡単な操作で一斉放送の音声信号をＩＰデータに変換してＩＰ網に送信することができ、使い勝手の良さをアピールすることができる。
【００４８】
情報管理装置５は、放送に使用する全ての機器（装置）の情報を設定して管理し、画面上で使用するゲートウェイのポート番号、ＩＰアドレス、機器（装置）名称等の設定を行って管理する。
【００４９】
状態監視装置６は、一斉放送で使用する全ての機器（装置）の状態を監視し、監視画面に表示された地図上に、機器（装置）をブロックで表わし、ブロックの正常または異常を色で表示する。
【００５０】
放送受信装置７Ａ〜７Ｎは、全て同じ構成で、受信ＩＰゲートウェイ７ａ１〜７ｎ１、放送切替装置７ａ２〜７ｎ２、スピーカ７ａ３〜７ｎ３を備え、ＩＰ網ＮＴを介して送信されてくる放送装置３または放送装置４の放送音声データ（ＩＰデータ）をアナログの音声信号に変換し、該当するチャネルに切替えて一斉放送の音声を出力する。
【００５１】
受信ＩＰゲートウェイ７ａ１〜７ｎ１は、ＩＰ網ＮＴを介して送信されてくるＩＰデータ（放送音声データ）を受信して音声信号に変換する。
【００５２】
放送切替装置７ａ２〜７ｎ２は、受信ＩＰゲートウェイ７ａ１〜７ｎ１から供給される音声信号を通常の一斉放送または割込みの一斉放送に、チャネルを選択して切替える。
【００５３】
スピーカ７ａ３〜７ｎ３は、放送切替装置７ａ２〜７ｎ２で選択されたチャネルの音声信号を音声で出力する。
【００５４】
このように、この発明に係る放送受信装置７Ａ〜７Ｎは、ＩＰ網ＮＴからのＩＰデータを受信して音声信号に変換する受信ＩＰゲートウェイ７ａ１〜７ｎ１と、受信ＩＰゲートウェイ７ａ１〜７ｎ１から供給される音声信号を通常の一斉放送または割込みの一斉放送に切替える放送切替装置７ａ２〜７ｎ２と、放送切替装置７ａ２〜７ｎ２から提供される音声信号を音声で出力するスピーカ７ａ３〜７ｎ３とを備えたので、一斉放送ならびに割込み一斉放送に対応することができ、システムの利便性を一層向上することができる。
【００５５】
次に、一斉放送システムの一斉放送動作シーケンスについて説明する。図２はこの発明に係る一斉放送システムの一実施の形態一斉放送開始時の動作シーケンス図、図３はこの発明に係る一斉放送システムの一実施の形態一斉放送終了時の動作シーケンス図である。
【００５６】
図２において、シーケンスＳ１では、放送装置コンソール３ａから放送開始要求Ｙ１ａが放送管理サーバ２に送信される。シーケンスＳ２では、放送開始要求Ｙ１ａを受信した放送管理サーバ２から送信チャネルオープン要求Ｏ１ａが送信ＩＰゲートウェイ３ｃに送信され、シーケンスＳ３では、送信ＩＰゲートウェイ３ｃから送信チャネルオープン完了Ｋ１ａが放送管理サーバ２に返信される。
【００５７】
続いて、シーケンスＳ４では、放送管理サーバ２から受信チャネルオープン要求Ｏ１ｂが放送切替装置７ａ２〜７ｎ２に送信され、シーケンスＳ５では、放送切替装置７ａ２〜７ｎ２から受信チャネルオープン完了Ｋ１ｂが放送管理サーバ２に返信される。
【００５８】
シーケンスＳ６では、放送管理サーバ２から放送開始応答Ｓ１ａが放送装置コンソール３ａに送信されて一斉放送が可能となり、シーケンスＳ７では、マイク３ｂ→送信ＩＰゲートウェイ３ｃ→ＩＰ網ＮＴ→受信ＩＰゲートウェイ７ａ１〜７ｎ１→放送切替装置７ａ２〜７ｎ２の経路で放送音声データＤ１が送信され、スピーカ７ａ３〜７ｎ３から一斉放送の音声が出力される。
【００５９】
図３において、図２に示すシーケンスＳ７の放送音声データＤ１が一斉放送されている状態から、シーケンスＳ１１で、放送装置コンソール３ａから放送終了要求Ｙ１ｂが放送管理サーバ２に送信されると、シーケンスＳ１２では、放送管理サーバ２から受信チャネルクローズ要求Ｃ１ａが放送切替装置７ａ２〜７ｎ２に送信され、シーケンスＳ１３では、放送切替装置７ａ２〜７ｎ２から受信チャネルクローズ完了Ｚ１ａが放送管理サーバ２に返信される。
【００６０】
シーケンスＳ１４で、放送管理サーバ２から送信チャネルクローズ要求Ｃ１ｂが送信ＩＰゲートウェイ３ｃに送信され、シーケンスＳ１５では、送信ＩＰゲートウェイ３ｃから送信チャネルクローズ完了Ｚ１ｂが放送管理サーバ２に返信されると、シーケンスＳ１６で放送管理サーバ２から放送終了応答Ｓ１ｂが放送装置コンソール３ａに送信され、放送装置３と放送受信装置７Ａ〜７Ｎの回線が切断されて一斉放送が終了する。
【００６１】
続いて、一斉放送システムの割込み一斉放送動作シーケンスについて説明する。図４はこの発明に係る一斉放送システムの一実施の形態割込み一斉放送開始時の動作シーケンス図、図５はこの発明に係る一斉放送システムの一実施の形態割込み一斉放送終了時の動作シーケンス図である。なお、放送装置３からの一斉放送時に、放送装置４から割込み一斉放送する場合について説明する。
【００６２】
図４において、図３に示す放送装置３からの放送音声データＤ１を一斉放送中に、緊急に一斉放送する必要があり、シーケンスＰ１では、放送装置コンソール４ａから放送開始要求Ｙ２ａを放送管理サーバ２に送信すると、シーケンスＰ２で、放送管理サーバ２から受信チャネルオープン要求Ｏ２ｂが放送切替装置７ａ２〜７ｎ２に送信され、チャネルを切替えて（例えば、チャネルＣＨ１→チャネルＣＨ２）割込み一斉放送を受信する準備ができると、シーケンスＰ３では、放送切替装置７ａ２〜７ｎ２から受信チャネルオープン完了Ｋ２ｂが放送管理サーバ２に返信される。
【００６３】
続いて、シーケンスＰ４で、放送管理サーバ２から送信チャネルオープン要求Ｏ２ａが送信ＩＰゲートウェイ４ｃに送信され、シーケンスＰ５では、送信ＩＰゲートウェイ４ｃから送信チャネルオープン完了Ｋ２ａが放送管理サーバ２に返信されると、シーケンスＰ６で、放送管理サーバ２から放送開始応答Ｓ２ａが放送装置コンソール４ａに送信されることにより、放送受信装置７Ａ〜７Ｎの放送切替装置７ａ２〜７ｎ２がチャネルを切り替え（例えば、チャネルＣＨ１→チャネルＣＨ２）、放送音声データＤ１の一斉放送の受信を停止し、マイク４ｂからの放送音声データＤ２の割込み一斉放送を受信する。
【００６４】
割込み一斉放送の放送音声データＤ２は、マイク４ｂ→送信ＩＰゲートウェイ４ｃ→ＩＰ網ＮＴ→受信ＩＰゲートウェイ７ａ１〜７ｎ１→放送切替装置７ａ２〜７ｎ２を経由し、スピーカ７ａ３〜７ｎ３から音声で出力される。
【００６５】
図５において、放送音声データＤ２の割込み一斉放送中に、シーケンスＰ１１で、放送装置コンソール４ａから放送終了要求Ｙ２ｂが放送管理サーバ２に送信されると、シーケンスＰ１２では、放送管理サーバ２から受信チャネルクローズ要求Ｃ２ａが放送切替装置７ａ２〜７ｎ２に送信され、放送切替装置７ａ２〜７ｎ２が割込み一斉放送用のチャネルＣＨ２からチャネルＣＨ１に切り替え、シーケンスＰ１３では、放送切替装置７ａ２〜７ｎ２から受信チャネルクローズ完了Ｚ２ａが放送管理サーバ２に返信される。
【００６６】
続いて、シーケンスＰ１４で、放送管理サーバ２から送信チャネルクローズ要求Ｃ２ｂが送信ＩＰゲートウェイ４ｃに送信され、シーケンスＰ１５では、送信ＩＰゲートウェイ４ｃから送信チャネルクローズ完了Ｚ２ｂが放送管理サーバ２に返送されると、シーケンスＰ１６では、放送管理サーバ２から放送終了応答Ｓ２ｂが放送装置コンソール４ａに送信されることにより、マイク４ｂからの割込み一斉放送の放送音声データＤ２が禁止され、中断された放送装置３からの一斉放送の放送音声データＤ１が再度、放送受信装置７Ａ〜７Ｎに一斉放送される。
【００６７】
図６はこの発明に係る放送管理サーバの一実施の形態モニタ画面図である。図６において、モニタ画面には、一斉放送の未放送（放送済み）、または放送中の状態、一斉放送の開始日時および終了日時、一斉放送の拠点（放送装置３または放送装置４の放送装置コンソール）を表示する。なお、状態は、例えば色分けした○印で表示する。
【００６８】
モニタ画面から一斉放送の放送履歴、放送状態、放送装置を正確に認識して管理を容易にすることができる。
【００６９】
このように、この発明に係る放送管理サーバ２は、放送履歴、放送状態を表示するモニタ画面を備えたので、一斉放送の放送履歴、放送状態を明確にすることができ、システムの管理を容易にし、かつ正確に認識することができる。
【００７０】
図７はこの発明に係る放送装置コンソールの一実施の形態表示画面図である。図７において、表示画面は、一斉放送先を、例えば「北海道」、「東北」、「関東」などのブロックに分けた「選択ボタン」、「回線接続ボタン」、「回線切断ボタン」を表示し、一斉放送先の「選択ボタン」をクリックして「回線接続ボタン」をクリックすることにより、一斉放送先と回線を接続して一斉放送を実行することができる。
【００７１】
また、表示画面に、「プリセット１ボタン」、「プリセット２ボタン」を表示し、頻繁に一斉放送する放送先を登録し、ワンタッチ操作（クリック）で登録先に回線を接続して一斉放送することができる。
【００７２】
このように、この発明に係る放送装置コンソール３ａ，４ａは、ブロック別の一斉放送先、回線接続ボタン、回線切断ボタン、頻繁に放送する放送先のプリセットボタンを表示する表示画面を備えたので、一斉放送先の選択、回線接続や回線切断を容易に実行することができ、一斉放送の操作性をより一層アピールすることができる。
【００７３】
以上説明したように、この発明に係る一斉放送システム１は、音声信号をＩＰデータに変換してＩＰ網に送信する放送装置３，４と、放送装置３，４からのＩＰデータの放送を管理する放送管理サーバ２と、一斉放送で使用する情報を設定して管理する情報管理装置５と、一斉放送で使用する全ての機器の状態を監視する状態監視装置６と、ＩＰ網を介して一斉放送のＩＰデータを受信する複数の拠点にある放送受信装置７Ａ〜７Ｎとを備えたので、ＩＰデータの放送を管理し、全ての機器の状態を監視しながら複数の拠点に一斉放送をすることができ、システム構築に多くの設備投資を必要とせず、利便性の向上を図ることができる。
【産業上の利用可能性】
【００７４】
本発明に係る一斉放送システムは、システム構築に多くの設備投資を必要とせず、一斉放送ならび割込み一斉放送が可能な利便性の高いもので、一斉放送を目的としたあらゆる一斉放送システムに適用することができる。
【図面の簡単な説明】
【００７５】
【図１】この発明に係る一斉放送システムの一実施の形態ブロック構成図
【図２】この発明に係る一斉放送システムの一実施の形態一斉放送開始時の動作シーケンス図、
【図３】この発明に係る一斉放送システムの一実施の形態一斉放送終了時の動作シーケンス図
【図４】この発明に係る一斉放送システムの一実施の形態割込み一斉放送開始時の動作シーケンス図
【図５】この発明に係る一斉放送システムの一実施の形態割込み一斉放送終了時の動作シーケンス図
【図６】この発明に係る放送管理サーバの一実施の形態モニタ画面図
【図７】この発明に係る放送装置コンソールの一実施の形態表示画面図
【符号の説明】
【００７６】
１    一斉放送システム
２    放送管理サーバ
３，４    放送装置
３ａ，４ａ    放送装置コンソール
３ｂ，４ｂ    マイク
３ｃ，４ｃ    送信ＩＰゲートウェイ
５    情報管理装置
６    状態監視装置
７Ａ〜７Ｎ    放送受信装置
７ａ１，７ｂ１〜７ｎ１    受信ＩＰゲートウェイ
７ａ２，７ｂ２〜７ｎ２    放送切替装置
７ａ３，７ｂ３〜７ｎ３    スピーカ
ＮＴ    ＩＰ網
Ｙ１ａ，Ｙ２ａ    放送開始要求
Ｙ１ｂ，Ｙ２ｂ    放送終了要求
Ｓ１ａ，Ｓ２ａ    放送開始応答
Ｓ１ｂ，Ｓ２ｂ    放送終了応答
Ｏ１ａ，Ｏ２ａ    送信チャネルオープン要求
Ｏ１ｂ，Ｏ２ｂ    受信チャネルオープン要求
Ｋ１ａ，Ｋ２ａ    送信チャネルオープン完了
Ｋ１ｂ，Ｋ２ｂ    受信チャネルオープン完了
Ｃ１ａ，Ｃ２ａ    受信チャネルクローズ要求
Ｃ１ｂ，Ｃ２ｂ    送信チャネルクローズ要求
Ｚ１ａ，Ｚ２ａ    受信チャネルクローズ完了
Ｚ１ｂ，Ｚ２ｂ    送信チャネルクローズ完了
Ｄ１．Ｄ２    放送音声データ
【図１】
2005210462.tif 000003
【図２】
2005210462.tif 000004
【図３】
2005210462.tif 000005
【図４】
2005210462.tif 000006
【図５】
2005210462.tif 000007
【図６】
2005210462.tif 000008
【図７】
2005210462.tif 000009